【手続補正書】
【提出日】平成25年4月17日(2013.4.17)
【手続補正１】
【補正対象書類名】特許請求の範囲
【補正対象項目名】全文
【補正方法】変更
【補正の内容】
【特許請求の範囲】
【請求項１】
広告に対するユーザの反応を評価する方法であって、前記方法は、
広告サーバが、コンテンツプロバイダによってユーザのクライアント装置に配信される番組のコマーシャル時間中に、一意的な識別子に関連付けられた第１の広告を前記クライアント装置に配信するステップと、
前記広告サーバが、前記第１の広告が終了する前に前記ユーザが前記第１の広告の少なくとも一部の視聴を止めたいということを示す入力を、前記第１の広告が提示されている間に前記クライアント装置から受信するステップと、
前記広告サーバが、前記ユーザが前記第１の広告を視聴した時間の長さに基づいて、前記第１の広告に対する前記ユーザの関心度を判定するステップと、
前記広告サーバが、前記ユーザに関連付けられるユーザ視聴行動の記録を作成するステップであって、前記記録は、前記一意的な識別子およびユーザ識別子を含む、作成するステップと、
前記広告サーバが、前記記録をユーザプロフィールデータベースに保存するステップと、
前記広告サーバが、前記第１の広告の提供後、前記コマーシャル時間の残り時間を判定するステップと、
前記広告サーバが、前記残り時間と、予め定められた閾値を比較するステップと、
前記広告サーバが、前記残り時間が前記閾値を超えていた場合、第２の広告を前記クライアント装置に配信するステップと
を含むことを特徴とする方法。
【請求項２】
前記記録は前記一意的な識別子と、前記第１の広告に関連付けられたタグと、前記第１の広告に対する前記ユーザの関心度を表すユーザ関心度インジケータと、ユーザ名、インターネットプロトコルアドレス、電子メールアドレス、またはＭＡＣアドレスのうちの少なくとも１つのユーザ識別子とを含むことを特徴とする請求項１に記載の方法。
【請求項３】
前記ユーザ視聴行動の記録を作成するステップはさらに、前記ユーザが前記第１の広告を視聴した時間の長さをさらに含むユーザ視聴行動の記録を作成するステップを含むことを特徴とする請求項２に記載の方法。
【請求項４】
前記広告サーバが、前記残り時間が前記閾値を超えていない場合、前記番組に戻すステップと
をさらに含むことを特徴とする請求項１に記載の方法。
【請求項５】
前記第２の広告を前記ユーザに配信するステップは、
前記ユーザに配信すべき第２の広告を選択するステップと、
前記第２の広告の時間が、前記残り時間より短いかを判断するステップと、
前記第２の広告の時間が前記残り時間より短い場合、前記第２の広告を前記ユーザに配信するステップと、
前記第２の広告の時間が前記残り時間より長い場合、前記番組に戻すステップと
を含むことを特徴とする請求項４に記載の方法。
【請求項６】
前記第１の広告を前記クライアント装置に配信するステップは、
一意的な識別子を生成するステップと、
前記第１の広告に関連付けられるメタデータに基づいて内容タグを選択するステップと、
前記コマーシャル時間中に前記第１の広告を前記クライアント装置に配信する前に、前記一意的な識別子および内容タグを前記第１の広告に関連付けるステップと
を含むことを特徴とする請求項１に記載の方法。
【請求項７】
ユーザに対する広告の反応を評価するシステムであって、前記システムは、
コマーシャルを含むコンテンツをユーザに配信するように構成されたコンテンツサーバと、
前記コマーシャル時間中に少なくとも１つの広告をユーザのクライアント装置に配信し、前記広告が終了する前に前記広告の視聴をスキップしたことを示すフィードバックを前記クライアント装置から受信し、前記ユーザが前記広告を閲覧した時間の長さに基づいて前記広告に対する前記ユーザの関心度を判定し、以前の広告の提供後、前記コマーシャル時間の残り時間が予め定められた閾値を超えていた場合、次の広告を前記クライアント装置に配信するように構成された広告サーバと、
前記ユーザ視聴行動の各事実を記憶するように構成されたユーザプロフィールデータベースと
を含むことを特徴とするシステム。
【請求項８】
前記ユーザプロフィールデータベースに記憶されたユーザ視聴行動の前記事実の間の関係を構築するように構成されたユーザ行動エンジンをさらに含むことを特徴とする請求項７に記載のシステム。
【請求項９】
前記広告サーバは、前記ユーザが前記広告を閲覧した時間の長さに基づいて、前記コンテンツサーバにより配信された前記広告に関連付けられる広告主に料金請求するようにさらに構成されることを特徴とする請求項７に記載のシステム。
【請求項１０】
前記ユーザ行動エンジンは、前記事実を分析し、最初から最後まで広告を見ていたユーザの割合を判定するようにさらに構成されることを特徴とする請求項８に記載のシステム。
【請求項１１】
前記ユーザ行動エンジンは、前記事実を分析し、広告をスキップしたユーザの割合を判定するようにさらに構成されることを特徴とする請求項８に記載のシステム。
【請求項１２】
前記ユーザ関心度インジケータは、
前記ユーザが前記第１の広告に対し関心があることを示す「Ｙｅｓ」フラグと、
前記ユーザが前記第１の広告に対し関心がないことを示す「Ｎｏ」フラグと、
関心度の度合いを示す０−１０の間の数値範囲と
のうちの少なくとも１つであることを特徴とする請求項２に記載の方法。
【請求項１３】
前記一意的な識別子は、ＧＵＩＤ（グローバル一意識別子）であることを特徴とする請求項１に記載の方法。
【請求項１４】
広告に対するユーザの反応を評価する方法をコンピュータ上のプロセッサに実行させるコンピュータ実行可能命令を有するコンピュータ可読記憶媒体であって、前記方法は、
広告サーバが、コンテンツプロバイダによってユーザのクライアント装置に配信される番組のコマーシャル時間中に、一意的な識別子に関連付けられた第１の広告を前記クライアント装置に配信するステップと、
前記広告サーバが、前記第１の広告が終了する前に前記ユーザが前記第１の広告の少なくとも一部の視聴を止めたいということを示す入力を、前記第１の広告が提示されている間に前記クライアント装置から受信するステップと、
前記広告サーバが、前記ユーザが前記第１の広告を視聴した時間の長さに基づいて、前記第１の広告に対する前記ユーザの関心度を判定するステップと、
前記広告サーバが、前記ユーザに関連付けられるユーザ視聴行動の記録を作成するステップであって、前記記録は、前記一意的な識別子およびユーザ識別子を含む、作成するステップと、
前記広告サーバが、前記記録をユーザプロフィールデータベースに保存するステップと、
前記広告サーバが、前記第１の広告の提供後、前記コマーシャル時間の残り時間を判定するステップと、
前記広告サーバが、前記残り時間と、予め定められた閾値を比較するステップと、
前記広告サーバが、前記残り時間が前記閾値を超えていた場合、第２の広告を前記クライアント装置に配信するステップと
を含むことを特徴とするコンピュータ可読記憶媒体。
【請求項１５】
前記第１の広告に対する前記ユーザの関心度を判定するステップは、前記第１の広告に対する前記ユーザの関心度を表すユーザ関心度インジケータを判定するステップ含み、前記ユーザ関心度インジケータは、
前記ユーザが前記第１の広告に対し関心があることを示す「Ｙｅｓ」フラグ、
前記ユーザが前記第１の広告に対し関心がないことを示す「Ｎｏ」フラグ、および
関心度の度合いを示す０−１０の間の数値範囲、
のうちの少なくとも１つであることを特徴とする請求項１４に記載のコンピュータ可読記憶媒体。